(57)【要約】【課題】全ての端子をリテーナに対して確実に係止することができ、かつ、コネクタの形状が大型化することがないように、コネクタの組立方法を工夫すること。【解決手段】ハウジング(1)と、電線(4)の先端に圧着固定され端子突起部(33)を備える端子(3)と、端子挿入孔(22)とランス部(21)を備えるリテーナ(2)から成るコネクタの組立方法であって、次の工程(イ)〜(ハ)を備えるものである。    (イ) 上記ハウジングにリテーナを仮止めする工程と、    (ロ) 上記仮止めしているリテーナの端子挿入孔に端子を挿入すると共に、該リテーナのランス部に該端子の端子突起部を係合する工程と、    (ハ) 上記ハウジングに仮止めしているリテーナを圧入することにより、該リテーナと端子をハウジングに係止する工程。【選択図】図６
2010135159.tif 000002
【特許請求の範囲】
【請求項１】
ハウジングと、電線の先端に圧着固定され端子突起部を備える端子と、端子挿入孔とランス部を備えるリテーナから成るコネクタの組立方法であって、
上記ハウジングにリテーナを仮止めし、
上記仮止めしているリテーナの端子挿入孔に端子を挿入すると共に、該リテーナのランス部に該端子の端子突起部を係合し、
上記ハウジングに仮止めしているリテーナを圧入することにより、該リテーナと端子をハウジングに係止することを特徴とするコネクタの組立方法。
【請求項２】
上記ハウジングはロック用孔を備え、上記リテーナは第１突起と第２突起を備えて成り、該リテーナの第２突起をロック用孔に嵌入することにより該リテーナをハウジングに仮止めし、該リテーナの第１突起をロック用孔に嵌入することにより該リテーナをハウジングに係止することを特徴とする請求項１に記載のコネクタの組立方法。
【発明の詳細な説明】
【技術分野】
【０００１】
本発明は、電線接続用コネクタの組立方法に関し、さらに詳しくは、電線の先端部に固定した端子をハウジングに結合するためのリテーナを備える電線接続用コネクタの組立方法に関する。
【背景技術】
【０００２】
電線接続用のコネクタにおいて、電線の先端部に固定した端子をハウジングに結合するとき、ハウジングに形成したランス部と端子に形成した係止部によって結合すること、又はハウジングに形成した係止部と端子に形成したランス部によって結合することは、例えば、実公平２−１７４１８号公報（「コネクタフランジ」、特に、第５図の従来技術のコネクタを参照）、又は特開２００８−２３５０５０号公報(「コネクタ」)などに提案されているように、既に公知の事項である。
【０００３】
上記従来のコネクタについて、図９を参照しながら具体的に説明する。図９(ａ)は従来のコネクタの正面図であり、図９(ｂ)及び(ｃ)はその断面図である。
先ず、図９(ａ)及び(ｂ)に基づいて、ハウジング５１に形成されたランス部(係止アーム)５３と端子５５に形成された係止部５７によって、端子５５をハウジング５１に結合するコネクタについて説明する。
ハウジング５１には、端子５５が挿入される空間５２が４つ形成され、さらにこの空間５２内にはランス部５３がそれぞれ形成されている。また、ハウジング５１の円筒外周部分には、このコネクタの相手側と円周方向での位置決めをする突条５８が形成されている。一方、電線５６の先端部には端子５５が圧着固定され、その中央部分には凹部によって係止部５７が形成されている。
【０００４】
このようなコネクタを組み立てる場合は、上記ハウジング５１の後方（図９(ｂ)の右側）から４つの空間５２にそれぞれ端子５５を挿入して行くと、各ランス部５３はそれぞれの端子５５により外側方向へ押されて撓み、各端子５５がストッパー（ハウジング５１の前側壁）５４に当接すると同時にランス部５３が弾性により内側方向へ戻り、端子５５の係止部５７に係合する。このようにして、それぞれの端子５５をハウジング５１に結合することができる。
【０００５】
次に、図９(ａ)及び(ｃ)に基づいて、ハウジング６１に形成された係止部６３と端子６５に形成されたランス部６７によって、端子６５をハウジング６１に結合させるコネクタについて説明する。
ハウジング６１には、端子６５が挿入される空間６２が４つ形成され、さらにこの空間６２内には係止部６３がそれぞれ形成されている。一方、電線６６の先端部には端子６５が圧着固定され、その中央部分にはランス部６７が形成されている。
このようなコネクタを組み立てる場合は、上記ハウジング６１の後方（図９(ｃ)の右側）から４つの空間６２にそれぞれ端子６５を挿入して行くと、各端子６５のランス部６７はハウジング６１の各係止部６３により内側方向へ押されて撓み、各端子６５がストッパー（ハウジング６１の前側壁）６４に当接すると同時にランス部６７が弾性により外側方向へ戻り、ハウジング６１の係止部６３に係合する。このようにして、それぞれの端子６５をハウジング６１に結合することができる。
【０００６】
上記従来のコネクタは、図９(ａ)〜(ｃ)に示されるように、ハウジング５１,６１の各空間５２,６２内にそれぞれランス部５３や係止部６３を備えているため、ハウジング５１,６１を射出成形により製作するとき、金型の構造に起因して、ハウジング５１,６１には空間５２,６２が形成される他に、該ハウジング５１,６１の前側壁を貫通する型抜き空間５２ａ,６２ａも形成される。
このようにハウジング５１,６１内に外部へ開放した型抜き空間５２ａ,６２ａが存在すると、外部から水や塵埃がコネクタ内部に侵入し易くなり、コネクタの性能や耐久性に悪影響を及ぼす。
【０００７】
また、上記従来のコネクタでは、図９(ｂ)及び(ｃ)に示されるように、ハウジング５１や端子６５にランス部５３,６３が形成されているが、このようなランス部は、その機能を十分に発揮させるために所定以上の長さが必要である。ランス部の寸法を長くすればハウジングや端子の軸方向寸法が長くなり、コネクタを小型化することが困難である。
【０００８】
さらに、上記従来のコネクタでは、図９(ｂ)及び(ｃ)に示されるように、ハウジング５１の空間５２に形成されたランス部５３と、ハウジング６１の空間６２に形成された係止部６３の円周方向での位置が決まっているため、これらの空間５２,６２内へ挿入される各端子５５,５６の円周方向の向きによっては（例えば、係止部５７やランス部６７が内側に向いた状態では）、それぞれの端子５５,５６をハウジング５１,６１に対して結合することができない。
したがって、コネクタを組み立てるに当たって、ハウジング５１,６１の後方からそれぞれの空間５２,６２に端子５５,６５を挿入して行くとき、端子５５の係止部５７の向きをハウジング５１のランス部５３の位置に合わせなければ、また、端子６５のランス部６７の向きをハウジング６１の係止部６３の位置に合わせなければ、コネクタを組み立てることができないので、コネクタの組み立て作業に時間を要し、組み立て作業効率が低下する。
【０００９】
そこで、本発明者は、上記従来のコネクタの問題点を解決するために、ハウジング内に型抜き空間を無くして防水性や防塵性を高めることができるように、またランス部をハウジングや端子に形成しないでコネクタを小型化することができるように、さらに端子の円周方向での向きに関係なく端子をハウジングに結合することができるように、コネクタの構成を工夫することにより、本発明（コネクタの組立方法）の前提となる「コネクタ」を発明して、特許出願（特願２００８−２９４１９８号出願）をした。
【００１０】
ここで、上記特許出願に係る発明（先願発明）の「コネクタ」について、図１〜図５を参照しながら説明する。図１はコネクタの説明図、図２〜図４はコネクタの部品であるハウジング、リテーナ、及び端子に関する説明図、図５はリテーナと端子の関係を示す説明図である。
なお、図１に示されたコネクタとその部品について、その左側を前方（又は前部）、右側を後方（又は後部）という。
上記先願発明のコネクタは、図１に示されるように、ハウジング１と、ケーブル５の電線４の先端部に圧着固定された端子３と、この端子３をハウジング１に結合する略円柱形状のリテーナ２から構成されている。
次に、コネクタを構成するハウジング１、リテーナ２、及び端子３について、具体的に説明する。
【００１１】
〔ハウジング１の構成〕
先ず、ハウジング１の構成について、図２を参照しながら説明する。図２はハウジングを示し、(ａ)は後方側から見た斜視図、(ｂ)は後方から見た背面図、(ｃ)は(ｂ)のＡ−Ａ断面図である。
このハウジング１は合成樹脂製であり、円筒部１ａと鍔部１ｂから成る。この円筒部１ａの後方側（図２(ａ)の上側）には、リテーナ２を圧入するための開口部１１が形成されている。また、この開口部１１の内周壁には、リテーナ２を円周方向で位置決めするガイド突条１２と、該リテーナ２を係止するためのロック用孔１３が形成されており、該開口部１１の底部には、端子３を挿入するための挿通口１５が形成されている。この挿通口１５の前方端部には、コネクタの相手側のピン（オス端子）が入り込むピン挿入孔１５ａが形成されている。
そして、ハウジング１の円筒部１ａの前方側外周部には、コネクタの相手側に対して該ハウジング１を円周方向で位置決めするための円筒部突条１６が形成されている。
なお、ハウジング１の鍔部１ｂは、コネクタを相手側に固定するためのものである。
【００１２】
〔リテーナ２の構成〕
次に、リテーナ２の構成について、図３を参照しながら説明する。図３はリテーナを示し、(ａ)は前方側から見た斜視図、(ｂ)は前方から見た正面図、(ｃ)は(ｂ)のＢ−Ｂ断面図である。
このリテーナ２は略円柱形状の合成樹脂製であり、端子３が挿入される４つの端子挿入孔２２と、各端子挿入孔２２の外周側にそれぞれ片持ち梁状のランス部（弾性係合片）２１が形成されている。また、このリテーナ２の外周部には、対向して設けられる軸方向のガイド溝２３と、同じく対向して設けられるロック用の第１突起２５及び第２突起２６がそれぞれ形成されている。
【００１３】
このリテーナ２がハウジング１の開口部１１に挿入されるとき、上記２本のガイド溝２３は、ハウジング１の２本のガイド突条１２に係合する。また、上記ロック用の２つの第１突起２５は、ハウジング１の２つのロック用孔１３に嵌入する。
そして、上記４本のランス部２１は径方向に弾力性を有しており、その前方端部（図３(ａ)の上端部）は円弧形状のランス先端縁２１ａに成っている。このランス先端縁２１ａには、後述するように、端子３の中間部に形成される４つの端子突起部３３が係合する。
【００１４】
〔端子３の構成〕
次に、端子３の構成について、図４を参照しながら説明する。図４は端子を示し、(ａ)は端子単体の斜視図、(ｂ)は電線の先端部に固定した端子の斜視図である。
この端子３は導電性金属から成り、その後方側（図４(ａ)の右側）には電線４の先端部を圧着固定する電線固定部３１が形成され、その前方側にはコネクタの相手側のピン（オス端子）を挟持する接触片３２が形成されている。また、その中間部には、リテーナ２のランス部２１に係合する４つの端子突起部３３が形成されている。
【００１５】
上記電線固定部３１は、電線４の先端部を圧着固定（かしめて固定）することにより、電線４と端子３を接続し固定する。上記接触片３２は、対向する一対の弾性金属片から形成され、この一対の弾性金属片でコネクタの相手側のピンを挟持することにより、端子３と相手側のピンを電気的に接続する。また、上記４つの端子突起部３３は、各端子３がリテーナ２のそれぞれの端子挿入孔２２に挿入されたとき、該４つの端子突起部３３のうち、少なくとも１個がランス部２１のランス先端縁２１ａに係合することにより、端子３をリテーナ２に対して抜け止めする。
上記端子３の４つの端子突起部３３と、リテーナ２におけるランス部２１のランス先端縁２１ａについてさらに説明すれば、図５(ｂ)に示されるように、端子突起部３３が係合するランス先端縁２１ａの幅（円周方向の長さ）は、４つの端子突起部３３のそれぞれの間隔（ピッチ）よりも広く形成されており、端子３のランス部２１に対する向きに関係なく、少なくとも１つの端子突起部３３がランス先端縁２１ａに係合することができるように成っている。
【００１６】
〔コネクタを構成する各部品の相互関係〕
これまでに、コネクタを構成する部品であるハウジング１、リテーナ２、及び端子３について説明したが、次に、これらの部品を組み立てたときの各部品の相互関係について、図１及び図５を参照しながら説明する。図１はコネクタを示し、(ａ)はその断面図、(ｂ)及び(ｃ)はその斜視図である。また、図５は組み立てられたコネクタのリテーナと端子の位置関係を示し、(ａ)はその側面図、(ｂ)は(ａ)のＣ方向から見た正面図である。
上記ハウジング１の開口部１１内にはリテーナ２が係止されており、このリテーナ２のロック用の第１突起２５は、ハウジング１のロック用孔１３へ嵌入している。また、電線４の先端部に圧着固定された４本の端子３における前方側の接触片３２は、ハウジング１の挿通口１５内に位置しており、各端子３の中間部の４つの端子突起部３３は、リテーナ２のランス部２１を乗り越えた位置（ランス先端縁２１ａに係合する位置）にあり、各端子３の後方側の電線固定部３１はリテーナ２の端子挿入孔２２内に位置している。
なお、図１(ｃ)の符号６は、ハウジング１とケーブル５の間に露出する電線４を被覆するオーバーモールドである。
【００１７】
〔先願発明のコネクタの組立方法〕
次に、上述の先願発明のコネクタの組立方法について、図７を参照しながら説明する。図７(ａ)〜(ｃ)はコネクタの組立手順を示す。
このコネクタの組立方法は、従来の組立方法と同様に、ハウジング１に対してその後方（図７の右側）からコネクタの構成部品を挿入する組立方法である。具体的には、ハウジング１の開口部１１にリテーナ２を圧入し、このリテーナ２の第１突起２５をハウジング１のロック用孔１３に嵌入して係止する（図７(ｂ)）。次に、リテーナ２の各端子挿入孔２２に対して、電線４の先端部に圧着固定されたそれぞれの端子３を挿入し奥へ（図７の左方向へ）押し込むことによって、この端子３の端子突起部３３をリテーナ２のランス先端縁２１ａに係合させる（図７(ｃ)の上側端子３を参照）。
【００１８】
また、上述の先願発明におけるコネクタの別の組立方法について、図８を参照しながら説明する。図８(ａ)〜(ｃ)はコネクタの組立手順を示す。
このコネクタの別の組立方法は、リテーナ２をハウジング１に挿入する前に、電線４に固定した端子３をリテーナ２に挿入して組み合わせた後、これをハウジング１に挿入する組立方法である。
この組立方法では、最初にリテーナ２と電線４に固定した端子３を組み合わせるので、リテーナ２が電線４の露出部分を覆い隠すことになるため電線４の色を認識できなくなり（図示を省略）、ハウジング１の各挿通口１５にどの端子３を挿入すれば良いか分からなくなる。そこで、端子３をリテーナ２に挿入して組み合わせたとき、リテーナ２と端子３の間で電線４の色を認識することができるように、ケーブル５から露出される電線４の長さを長くする必要がある（図８(ａ),(ｂ)を参照）。
【００１９】
上記別の組立方法について具体的に説明すれば、ケーブル５から必要な長さの電線４（図７に示される組立方法での露出長さよりも長い電線）を露出させ（図８(ａ)）、電線４に固定した各端子３をリテーナ２の対応する端子挿入孔２２に挿入して、各端子３とリテーナ２を組み合わせる（図８(ｂ)）。このとき、ケーブル５から必要な長さの電線４を露出させているので、電線４に装着されたリテーナ２と端子３の間から電線４の色を認識することができる。
次に、ハウジング１の各挿通口１５に対して、電線４の色に基づいて対応するそれぞれの端子３を挿入し（図８(ｃ)）、最後に、ハウジング１の開口部１１にリテーナ２を圧入して係止する（図８(ｄ)）。このとき、リテーナ２の第１突起２５はハウジング１のロック用孔１３に嵌入する。
【００２０】
【特許文献１】実公平２−１７４１８号公報
【特許文献２】特開２００８−２３５０５０号公報
【発明の開示】
【発明が解決しようとする課題】
【００２１】
上述の図７に示したコネクタの組立方法により先願発明のコネクタを組み立てるとき、図７(ａ)に示されるように、電線４の長さに違いがあり、電線４に固定された各端子３の取付位置に不揃いがある場合には、各端子３をリテーナ２のそれぞれの端子挿入孔２２に挿入して奥へ押し込んでも、一部の端子３の端子突起部３３がリテーナ２のランス部２１を乗り越えてランス先端縁２１ａに係合することができないので、この一部の端子３はリテーナ２に対して抜け止めすることができない。（図７(ｃ)の下側端子３を参照）
このように、一部の端子３の端子突起部３３がリテーナ２のランス先端縁２１ａに係合していないコネクタでは、ケーブル５がコネクタに近接した箇所で曲げられると、この一部の端子３が後退（図７(ｃ)の右方向へ移動）して相手側のピン（オス端子）と接続できなくなり、コネクタとしての機能が損なわれる。
【００２２】
また、上述の図８に示した別のコネクタの組立方法により先願発明のコネクタを組み立てるときは、図８(ａ)に示されるように、電線４の長さに違いがあり、電線４に固定された各端子３の取付位置に不揃いがあっても、電線４にリテーナ２を装着するとき、図８(ｂ)に示すように、端子３の端子突起部３３がリテーナ２のランス部２１を乗り越えた状態（端子突起部３３がランス先端縁２１ａに係合できる状態）にあるので、ハウジング１の各挿通口１５にそれぞれ端子３を挿入した後（図８(ｃ)）、ハウジング１の開口部１１にリテーナ２を圧入して係止すれば、全ての端子３をリテーナ２のランス部２１に係止することができる（図８(ｄ)）。
しかしながら、このような組立方法により組み立てられたコネクタでは、ハウジング１（リテーナ２）とケーブル５の間に露出する電線４の長さが通常より長くなり、オーバーモールド６（図１(ｃ)を参照）を施す範囲が広くなるので、コネクタの形状が大型化するという問題が発生する。
【００２３】
そこで、本発明が解決しようとする技術課題は、上記従来技術の問題点を解決するために、全ての端子をリテーナに対して確実に係止することができ、かつ、コネクタの形状が大型化することがないように、コネクタの組立方法を工夫することである。
【課題を解決するための手段】
【００２４】
本発明に係るコネクタの組立方法は、ハウジングに仮止めしたリテーナに端子を挿入して、端子の端子突起部をリテーナのランス部に係合させた後、該リテーナをハウジングに係止することを基本とするものである。
【００２５】
以下に、上記課題を解決するために講じた手段について、その作用と共に説明する。
(１) 本発明に係るコネクタの組立方法（請求項１に対応）は、ハウジングと、電線の先端に圧着固定され端子突起部を備える端子と、端子挿入孔とランス部を備えるリテーナから成るコネクタの組立方法であって、次の工程(イ)〜(ハ)を備えるものである。
(イ) 上記ハウジングにリテーナを仮止めする工程と、
(ロ) 上記仮止めしているリテーナの端子挿入孔に端子を挿入すると共に、該リテーナのランス部に該端子の端子突起部を係合する工程と、
(ハ) 上記ハウジングに仮止めしているリテーナを圧入することにより、該リテーナと端子をハウジングに係止する工程。
【００２６】
このような構成によれば、ハウジングにリテーナを仮止めした状態で、リテーナの端子挿入孔に電線の先端部に固定された端子を挿入することにより、仮止めされたリテーナの奥に充分な空間を確保することができる。これによって、電線の長さに違いがあり、電線に固定された各端子の取付位置が不揃であっても、全ての端子を充分奥に押し込むことができるので、この端子の端子突起部がリテーナのランス部を乗り越えて確実にランス部に係合することが可能となる。この状態でハウジングに仮止めしているリテーナを圧入することによって、リテーナと端子をハウジングに係止することができるので、全ての端子をリテーナを介して確実にハウジングに結合することが可能である。
【００２７】
(２) 上記(１)のコネクタの組立方法において、ハウジングはロック用孔を備え、リテーナは第１突起と第２突起を備えて成り、該リテーナの第２突起をロック用孔に嵌入することにより該リテーナをハウジングに仮止めし、該リテーナの第１突起をロック用孔に嵌入することにより該リテーナをハウジングに係止することができる。（請求項２に対応）
このような構成によれば、リテーナの第２突起及び第１突起をハウジングのロック用孔に嵌入することによって、リテーナの仮止め及び係止を行うので、ハウジングに対して確実にリテーナを仮止め及び係止することができる。
【発明の効果】
【００２８】
本発明によれば、リテーナの端子挿入孔に電線の先端部に固定された端子を挿入し、リテーナのランス部に端子の端子突起部を係合するとき、リテーナをハウジングに仮止めした状態で行うので、仮止めされたリテーナの奥に充分な空間を確保することができ、電線の長さに違いがあっても、全ての端子の端子突起部をリテーナのランス部に確実に係合することができる。その結果、全ての端子をリテーナを介して確実にハウジングに結合することが可能であり、コネクタに近接した箇所でケーブルが曲げられた場合でも、いずれの端子もハウジング内で後退することはなく、相手側との電気的な接続が損なわれることはない。
【発明を実施するための最良の形態】
【００２９】
次に、本発明の実施例によるコネクタの組立方法について、図６を参照しながら説明する。図６はコネクタの組立方法の説明図であり、(ａ)〜(ｄ)は組立手順を示す。
先ず、ハウジング１の開口部１１にリテーナ２を挿入し、リテーナ２の第２突起２６をハウジング１のロック用孔１３に嵌入することにより、ハウジング１にリテーナ２を仮止めする（図６(ｂ)）。次に、仮止めされたリテーナ２の各端子挿入孔２２に対して、電線４の先端部に圧着固定されたそれぞれの端子３を挿入すると共に、奥へ（図６の左方向へ）押し込むことによって、全ての端子３の端子突起部３３がリテーナ２のランス部２１を乗り越えることができ、確実にランス先端縁２１ａに係合することが可能である（図６(ｃ)）。リテーナ２の各端子挿入孔２２に端子３を挿入するとき、電線４の色を容易に認識することができるので、各端子挿入孔２２に対応する端子３を簡単に選択して挿入することが可能である。
最後に、仮止め状態にあるリテーナ２をハウジング１の開口部１１の奥へ圧入して係止する（図６(ｄ)）。このとき、全ての端子３の端子突起部３３は、リテーナ２のランス先端縁２１ａに係合したままの状態で奥へ移動され、リテーナ２の第１突起２５はハウジング１のロック用孔１３に嵌入する。
【００３０】
以上のような実施例の組立方法によれば、図６(ａ)に示されるように、電線４の長さに違いがあり、電線４の先端部に固定された各端子３の取付位置が不揃いであっても、リテーナ２の各端子挿入孔２２に端子３を挿入して奥へ押し込むとき、リテーナ２は仮止め状態にあって、該リテーナ２の奥（図６の左側）には充分な空間が存在するため（図６(ｂ)）、端子３の移動を妨げることはないので、図６(ｃ)に示されるように、全ての端子３の端子突起部３３がリテーナ２のランス部２１を乗り越えた状態（端子突起部３３がランス先端縁２１ａに係合できる状態）になる。このような状態になった後、リテーナ２をハウジング１の開口部１１内に圧入して係止するので、全ての端子３はリテーナ２を介してハウジング１に対して確実に結合することができる（図６(ｄ)）。
【図面の簡単な説明】
【００３１】
【図１】先願に係る発明のコネクタに関する説明図であり、(ａ)は断面図、(ｂ)及び(ｃ)は斜視図である。
【図２】同じく先願に係る発明のコネクタにおけるハウジングの説明図であり、(ａ)は後方側から見た斜視図、(ｂ)は後方から見た背面図、(ｃ)は(ｂ)のＡ−Ａ断面図である。
【図３】同じく先願に係る発明のコネクタにおけるリテーナの説明図であり、(ａ)は前方側から見た斜視図、(ｂ)は前方から見た正面図、(ｃ)は(ｂ)のＢ−Ｂ断面図である。
【図４】同じく先願に係る発明のコネクタにおける端子の説明図であり、(ａ)は端子単体の斜視図、(ｂ)は電線の先端部に固定した端子の斜視図である。
【図５】同じく先願に係る発明のコネクタにおいて、組み立てられたときのリテーナと端子の位置関係を示す説明図であり、(ａ)はその側面図、(ｂ)は(ａ)のＣ方向から見た正面図である。
【図６】本発明の実施例によるコネクタの組立方法に関する説明図であり、(ａ)〜(ｄ)は組立手順を示す模式図である。
【図７】先願に係る発明のコネクタにおける組立方法に関する説明図であり、(ａ)〜(ｃ)は組立手順を示す模式図である。
【図８】先願に係る発明のコネクタにおける別の組立方法に関する説明図であり、(ａ)〜(ｄ)は組立手順を示す模式図である。
【図９】は、従来のコネクタの概略図であり、(ａ)は正面図、(ｂ)及び(ｃ)は(ａ)のＤ−Ｄ断面図でありそれぞれ異なるコネクタを示す。
【符号の説明】
【００３２】
１…ハウジング                          １ａ…円筒部
１ｂ…鍔部                              ２…リテーナ
３…端子（メス端子）                    ４…電線
５…ケーブル（多芯丸形ケーブル）        ６…オーバーモールド
１１…開口部                            １２…ガイド突条
１３…ロック用孔                        １５…挿通口
１５ａ…ピン挿入孔                      １６…円筒部突条
２１…ランス部（弾性係合片）            ２１ａ…ランス先端縁
２２…端子挿入孔                        ２３…ガイド溝
２５…第１突起（ロック用）              ２６…第２突起（ロック用）
３１…電線固定部                        ３２…接触片
３３…端子突起部
【図１】
2010135159.tif 000003
【図２】
2010135159.tif 000004
【図３】
2010135159.tif 000005
【図４】
2010135159.tif 000006
【図５】
2010135159.tif 000007
【図６】
2010135159.tif 000008
【図７】
2010135159.tif 000009
【図８】
2010135159.tif 000010
【図９】
2010135159.tif 000011